(57)【要約】【課題】番組録画システムにおいて、ＴＶ番組の録画設定を行う手間を軽減でき、ユーザの使い勝手を良くする。【解決手段】番組録画システムは、ＨＤＭＩケーブルで接続されたＴＶ受像機とＨＤＲとを含む。ＴＶ受像機は、ユーザがＴＶ番組を視聴すると、視聴番組情報を生成し、ＨＤＲに送信する。ＨＤＲは、ＴＶ受像機から視聴番組情報を受信すると、この情報に基づく視聴番組データベースを生成する。ＨＤＲは、ユーザによって、予約録画番組設定が指示されると（Ｓ２１）、予約録画番組設定画面をＴＶ受像機に表示させる（Ｓ２２）。そして、ユーザが「お気に入り番組リストの表示」を選択すると（Ｓ２３でＹＥＳ）、ＨＤＲは、放送予定番組リストと、視聴番組データベースとを読み込み、放送予定番組リストの中から、視聴番組データベース内のタイトル名等と同一のＴＶ番組を抽出し、お気に入り番組リストをＴＶ受像機に表示する（Ｓ２５）。【選択図】図６
2011217253.tif 000002
【特許請求の範囲】
【請求項１】
テレビジョン（以下、ＴＶという）受像機と、このＴＶ受像機に接続され、ＴＶ番組を予約録画可能な録画装置とを含み、
前記ＴＶ受像機は、
ユーザによって視聴されたＴＶ番組についての視聴番組情報を生成する視聴番組情報生成手段と、
前記視聴番組情報生成手段によって生成された視聴番組情報を、前記録画装置に送信する視聴番組情報送信手段とを備え、
前記録画装置は、
前記ＴＶ受像機に対して、映像を出力する映像出力手段と、
ユーザによって操作される操作手段と、
放送予定番組についての放送予定番組情報を取得する放送予定番組情報取得手段と、
前記ＴＶ受像機から送信された前記視聴番組情報を受信する視聴番組情報受信手段と、
前記放送予定番組情報取得手段によって取得された放送予定番組情報の中から、前記視聴番組情報受信手段によって受信された視聴番組情報の内容と一致するＴＶ番組を抽出する放送予定番組抽出手段と、
前記録画装置の各部を制御する録画装置制御手段とを備える番組録画システムにおいて、
前記録画装置制御手段は、ユーザによって前記操作手段が操作されて、放送予定番組の中から前記視聴番組情報の内容に基づきＴＶ番組を抽出して表示するように指示されると、前記放送予定番組抽出手段を用いて、前記放送予定番組情報取得手段によって取得された放送予定番組情報の中から、前記視聴番組情報の内容と一致するＴＶ番組を抽出し、前記映像出力手段を用いて、抽出したＴＶ番組の一覧を前記ＴＶ受像機に出力することを特徴とする番組録画システム。
【請求項２】
前記視聴番組情報生成手段は、ユーザによって視聴されたＴＶ番組についての、タイトル名、番組ジャンル、及び放送時間帯の少なくともいずれかの情報を含む視聴番組情報を生成し、
前記放送予定番組抽出手段は、前記放送予定番組情報取得手段によって取得された放送予定番組情報の中から、前記視聴番組情報受信手段によって受信された視聴番組情報内のタイトル名と同一のタイトル名のＴＶ番組、該視聴番組情報内の番組ジャンルと同一の番組ジャンルのＴＶ番組、又は該視聴番組情報内の放送時間帯と同一の放送時間帯のＴＶ番組を抽出することを特徴とする請求項１に記載の番組録画システム。
【請求項３】
前記視聴番組情報には、該視聴番組情報内の各ＴＶ番組についての、ユーザによる視聴頻度情報がさらに含まれ、
前記録画装置制御手段は、前記放送予定番組抽出手段を用いて前記放送予定番組情報から抽出したＴＶ番組について、前記視聴番組情報内の視聴頻度情報に基づき、ユーザによる視聴頻度が高い順に並び替えた後、前記映像出力手段を用いて、並び替えたＴＶ番組の一覧を前記ＴＶ受像機に出力することを特徴とする請求項１又は２に記載の番組録画システム。
【請求項４】
前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１乃至請求項３のいずれか一項に記載の番組録画システム。
【発明の詳細な説明】
【技術分野】
【０００１】
本発明は、ＴＶ受像機と、このＴＶ受像機に接続され、ＴＶ番組を録画可能な録画装置とを含む番組録画システムに関する。
【背景技術】
【０００２】
従来から、放送予定のＴＶ番組に関する情報を含むＥＰＧ（Ｅｌｅｃｔｒｉｃ  Ｐｒｏｇｒａｍ  Ｇｕｉｄｅ）等の番組リスト（以下、放送予定番組リストという）を取得可能な録画装置が知られている。この録画装置では、放送予定番組リストの中からユーザによって選択されたＴＶ番組を予約録画することができる。放送予定番組リストには、多くのＴＶ番組が含まれている。従って、この従来の録画装置では、ユーザは、放送予定番組リストの中から予約録画したいＴＶ番組を探し出さなければならないため、予約録画設定に手間がかかり、使い勝手が悪いという問題がある。
【０００３】
これに対して、予約録画したＴＶ番組を録画履歴情報として記録可能であり、この録画履歴情報を用いて放送予定番組リストの中から、例えば録画履歴情報内のＴＶ番組のタイトル名と同一のタイトル名のＴＶ番組等を抽出可能な録画装置が知られている。一般的に、ユーザは以前予約録画したお気に入りのＴＶ番組を再度予約録画することが多い。従って、この録画装置では、ユーザは、抽出された番組リスト（以下、お気に入り番組リストという）から、予約録画したいＴＶ番組を容易に探し出すことができる。
【０００４】
しかしながら、上記録画装置では、録画履歴情報を用いて放送予定番組リストからユーザのお気に入りのＴＶ番組を抽出するため、ユーザが一度も予約録画を行うことなしに視聴しているお気に入りのＴＶ番組が抽出されない。従って、ユーザは、お気に入りのＴＶ番組であっても一度も予約録画を行ったことが無い場合、多くのＴＶ番組が含まれる放送予定番組リストの中から該当のＴＶ番組を探し出さなければならず、使い勝手が悪いという問題がある。
【０００５】
これに対して、特許文献１には、表示装置と、ＴＶ番組を録画可能な録画再生装置とを備え、表示装置に入力される映像出力元の切り替えを行うことなしに、表示装置の視聴中の番組を表示する画面に、録画再生装置に録画済みであるＴＶ番組一覧表を表示可能な放送番組視聴システムが開示されている。しかしながら、この放送番組視聴システムでは、上記問題を解決できない。
【０００６】
また、特許文献２には、ＴＶ受像機のメモリ内に、録画再生装置に録画したＴＶ番組の履歴情報を記録しておき、この履歴情報を用いて、録画再生装置に対してＴＶ番組の再生指示を行うことが可能な信号再生装置が開示されている。しかしながら、この信号再生装置でも、上記問題を解決できない。
【０００７】
また、特許文献３には、指示に応じて、録画番組情報のうち所定の期間に録画した録画番組情報を送信可能な録画再生装置と、映像の入力元を切り替える操作を行うことなしに、録画再生装置から受信した録画番組情報を画面に表示可能なＴＶ受像機とが開示されている。しかしながら、この録画再生装置とＴＶ受像機でも、上記問題を解決できない。
【０００８】
また、特許文献４には、１台以上の録画再生装置と接続された表示装置において、ＨＤＭＩ規格に基づくＣＥＣコマンド等を用いて、各録画再生装置から録画番組リスト情報を取得し、取得した各録画番組リスト情報を一括してリスト表示することができる表示システムが開示されている。しかしながら、この表示システムでも、上記問題を解決できない。
【先行技術文献】
【特許文献】
【０００９】
【特許文献１】特開２００９−１５２６６８号公報
【特許文献２】特開２００９−８８６３０号公報
【特許文献３】特開２００８−１０３７８９号公報
【特許文献４】特開２００８−２８９４７号公報
【発明の概要】
【発明が解決しようとする課題】
【００１０】
本発明は、上述した問題点を解決するためになされたものであり、ＴＶ番組の予約録画設定を行う際の手間を軽減でき、ユーザにとって使い勝手の良い番組録画システムを提供することを目的とする。
【課題を解決するための手段】
【００１１】
上記目的を達成するために請求項１の発明は、テレビジョン（以下、ＴＶという）受像機と、このＴＶ受像機に接続され、ＴＶ番組を予約録画可能な録画装置とを含み、前記ＴＶ受像機は、ユーザによって視聴されたＴＶ番組についての視聴番組情報を生成する視聴番組情報生成手段と、前記視聴番組情報生成手段によって生成された視聴番組情報を、前記録画装置に送信する視聴番組情報送信手段とを備え、前記録画装置は、前記ＴＶ受像機に対して、映像を出力する映像出力手段と、ユーザによって操作される操作手段と、放送予定番組についての放送予定番組情報を取得する放送予定番組情報取得手段と、前記ＴＶ受像機から送信された前記視聴番組情報を受信する視聴番組情報受信手段と、前記放送予定番組情報取得手段によって取得された放送予定番組情報の中から、前記視聴番組情報受信手段によって受信された視聴番組情報の内容と一致するＴＶ番組を抽出する放送予定番組抽出手段と、前記録画装置の各部を制御する録画装置制御手段とを備える番組録画システムにおいて、前記録画装置制御手段は、ユーザによって前記操作手段が操作されて、放送予定番組の中から前記視聴番組情報の内容に基づきＴＶ番組を抽出して表示するように指示されると、前記放送予定番組抽出手段を用いて、前記放送予定番組情報取得手段によって取得された放送予定番組情報の中から、前記視聴番組情報の内容と一致するＴＶ番組を抽出し、前記映像出力手段を用いて、抽出したＴＶ番組の一覧を前記ＴＶ受像機に出力するものである。
【００１２】
また、請求項２の発明は、請求項１に記載の番組録画システムにおいて、前記視聴番組情報生成手段は、ユーザによって視聴されたＴＶ番組についての、タイトル名、番組ジャンル、及び放送時間帯の少なくともいずれかの情報を含む視聴番組情報を生成し、前記放送予定番組抽出手段は、前記放送予定番組情報取得手段によって取得された放送予定番組情報の中から、前記視聴番組情報受信手段によって受信された視聴番組情報内のタイトル名と同一のタイトル名のＴＶ番組、該視聴番組情報内の番組ジャンルと同一の番組ジャンルのＴＶ番組、又は該視聴番組情報内の放送時間帯と同一の放送時間帯のＴＶ番組を抽出するものである。
【００１３】
また、請求項３の発明は、請求項１又は２に記載の番組録画システムにおいて、前記視聴番組情報には、該視聴番組情報内の各ＴＶ番組についての、ユーザによる視聴頻度情報がさらに含まれ、前記録画装置制御手段は、前記放送予定番組抽出手段を用いて前記放送予定番組情報から抽出したＴＶ番組について、前記視聴番組情報内の視聴頻度情報に基づき、ユーザによる視聴頻度が高い順に並び替えた後、前記映像出力手段を用いて、並び替えたＴＶ番組の一覧を前記ＴＶ受像機に出力するものである。
【００１４】
また、請求項４の発明は、請求項１乃至請求項３のいずれか一項に記載の番組録画システムにおいて、前記ＴＶ受像機と前記録画装置とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１５】
本発明によれば、ユーザによって、放送予定番組の中から視聴番組情報の内容に基づきＴＶ番組を抽出して表示するように指示されると、放送予定番組情報の中から、視聴番組情報の内容と一致するＴＶ番組を抽出し、抽出したＴＶ番組の一覧をＴＶ受像機に出力する。そのため、ユーザが、録画装置を用いて予約録画したことが無いＴＶ番組であっても、ＴＶ受像機で視聴したことがあるＴＶ番組であれば、録画装置は、放送予定番組情報の中から、そのＴＶ番組の内容と一致するＴＶ番組を抽出可能である。従って、ユーザは、お気に入りのＴＶ番組のうち、一度も予約録画を行うことなく視聴していたものを予約録画したい場合であっても、抽出されたＴＶ番組の一覧の中から該当のＴＶ番組を容易に探し出すことができるので、予約録画設定を容易に行うことができ、使い勝手がよい。
【図面の簡単な説明】
【００１６】
【図１】本発明の一実施形態に係るＴＶ受像機と、このＴＶ受像機に接続されたＨＤＲとを含む番組録画システムを示す斜視図。
【図２】上記ＴＶ受像機の内部構成を示すブロック図。
【図３】上記ＨＤＲの内部構成を示すブロック図。
【図４】上記ＴＶ受像機における視聴番組情報送信処理の手順を示すフローチャート。
【図５】上記ＨＤＲにおける視聴番組データベースの生成処理の手順を示すフローチャート。
【図６】上記ＨＤＲにおける予約録画番組設定処理の手順を示すフローチャート。
【図７】上記ＴＶ受像機に表示される予約録画番組設定画面の一例を示す説明図。
【図８】上記予約録画番組設定処理におけるＴＶ番組抽出処理の手順を示すフローチャート。
【図９】上記ＴＶ受像機に表示されるお気に入り番組一覧画面の一例を示す説明図。
【発明を実施するための形態】
【００１７】
以下、本発明の一実施形態に係る番組録画システムについて、図１乃至図３を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたハードディスクレコーダ（以下、ＨＤＲという；請求項における録画装置）３とを含む番組録画システム１の概略構成を示す。図２は、ＴＶ受像機２の内部構成を示し、図３は、ＨＤＲ３の内部構成を示す。
【００１８】
録画再生システム１は、ＨＤＭＩケーブル４を介して相互に接続されたＴＶ受像機２とＨＤＲ３とを含むものである。ＴＶ受像機２は、ＨＤＭＩケーブル４を介して、ＨＤＲ３から送信された映像をディスプレイ２２に表示可能であり、音声をスピーカ２３から出力可能である。
【００１９】
ＴＶ受像機２及びＨＤＲ３は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基づくコマンドと、コマンドに対するレスポンスデータとを送受信可能である。
【００２０】
図２に示すように、ＴＶ受像機２は、放送局から放送されるＴＶ放送信号に基づくＴＶ番組を受信するチューナ部２１と、チューナ部２１によって受信されたＴＶ番組やＨＤＲ３から受信したＴＶ番組の映像を表示するディスプレイ２２と、ＴＶ番組の音声を出力するスピーカ２３と、各種操作ボタンを有する操作部２４とを備える。また、ＴＶ受像機２は、ＴＶ受像機２の筐体外部に露出するように設けられたＨＤＭＩ端子部２５と、各種情報が記憶されたメモリ２６と、ＴＶ受像機２の各部を制御するための制御用マイコン２０とをさらに備える。
【００２１】
ＨＤＭＩ端子部２５には、ＨＤＲ３と接続されたＨＤＭＩケーブル４の一端が接続される。メモリ２６は、制御用マイコン２０を動作させるためのプログラム２６ａと、ＥＰＧ（Ｅｌｅｃｔｒｉｃ  Ｐｒｏｇｒａｍ  Ｇｕｉｄｅ）情報２６ｂと、ユーザによって視聴されるＴＶ番組についての各種情報が格納された視聴番組情報２６ｃとを記憶している。
【００２２】
制御用マイコン２０は、映像出力部２０ａと、音声出力部２０ｂと、ＥＰＧ情報取得部２０ｃと、視聴番組情報生成部（視聴番組情報生成手段）２０ｄと、通信部（視聴番組情報送信手段）２０ｅとを有し、ユーザによる操作部２４の操作等に基づいて自装置を動作させる。
【００２３】
映像出力部２０ａは、チューナ部２１によって受信されたＴＶ番組の映像や、ＨＤＭＩケーブル４を介してＨＤＲ３から受信したＴＶ番組の映像をディスプレイ２２に表示する。音声出力部２０ｂは、チューナ部２１によって受信されたＴＶ番組の音声や、ＨＤＭＩケーブル４を介してＨＤＲ３から受信したＴＶ番組の音声をスピーカ２３に出力する。
【００２４】
ＥＰＧ情報取得部２０ｃは、チューナ部２１によって受信されたＴＶ放送信号に含まれるＥＰＧ情報を取得し、メモリ２６のＥＰＧ情報２６ｂに格納する。ＥＰＧ情報２６ｂには、現在放送されているＴＶ番組や放送予定のＴＶ番組についてのタイトル名等の番組情報が含まれている。
【００２５】
視聴番組情報生成部２０ｄは、ユーザによって視聴されたＴＶ番組についての、タイトル名、番組ジャンル、及び放送時間帯の少なくともいずれかの情報や、ユーザによって視聴されたＴＶ番組についての視聴頻度を示す視聴回数情報を含む視聴番組情報を生成し、メモリ２６内の視聴番組情報２６ｃに格納する。視聴番組情報２６ｃには、例えば、タイトル名「ＡＡＡスポーツ」、番組ジャンル「スポーツ」、放送時間帯「毎週金曜日２３:００〜２３：３０」、視聴回数「５回」等の情報が格納されている。ＴＶ番組のタイトル名や番組ジャンル等の情報は、ＥＰＧ情報２６ｂの内容から取得する。
【００２６】
通信部２０ｅは、ＨＤＲ３に対してＨＤＭＩ−ＣＥＣ規格に基づくＣＥＣコマンド及びレスポンスデータの送受信を行う。具体的には例えば、通信部２０ｅは、視聴番組情報生成部２０ｄによって生成された視聴番組情報２６ｃをＨＤＲ３に送信する。なお、このときに使用するＣＥＣコマンドは、ベンダーコマンドである。
【００２７】
図３に示すように、ＨＤＲ３は、放送局から放送されるＴＶ放送信号に基づくＴＶ番組を受信するチューナ部３１と、各種指示を行うための複数の操作ボタンを有するリモコン（操作手段）５から送信される操作信号を受信するためのリモコン信号受信部３２と、ＨＤＲ３の筐体外部に露出するように設けられたＨＤＭＩ端子部３３とを備える。また、ＨＤＲ３は、各種情報を記憶したメモリ３４と、ＴＶ番組を録画可能なハードディスク（以下、ＨＤＤという）３５と、アクセス部３６と、装置各部の制御を行う制御用マイコン（録画装置制御手段）３０とを備える。
【００２８】
ＨＤＭＩ端子部３３には、ＴＶ受像機２と接続されたＨＤＭＩケーブル４の他端が接続される。
【００２９】
メモリ３４は、制御用マイコン３０を動作させるためのプログラム３４ａと、ＥＰＧ情報３４ｂと、ユーザによって予約録画設定されたＴＶ番組の情報を含む予約録画タイトル３４ｃとを記憶している。また、メモリ３４は、ＴＶ番組に関する各種情報をデータベース形式で格納する視聴番組データベース（視聴番組情報）３４ｄをさらに記憶している。視聴番組データベース３４ｄは、ＴＶ受像機２から受信した視聴番組情報２６ｃに基づく情報であり、例えば、ＴＶ番組のタイトル名や、番組ジャンルや、ＴＶ番組の放送時間帯や、各ＴＶ番組の視聴回数等の各項目と、それぞれの項目についての情報とがデータベース形式で格納されている。
【００３０】
ＨＤＤ３５は、チューナ部３１によって受信されたＴＶ番組を録画する。アクセス部３６は、ＨＤＤ３５に対するＴＶ番組の書き込みや読み出しを行う。
【００３１】
制御用マイコン３０は、再生出力部（映像出力手段と）３０ａと、録画処理部３０ｂと、ＥＰＧ情報取得部（放送予定番組情報取得手段）３０ｃと、視聴番組データベース生成部３０ｄと、放送予定番組抽出部（放送予定番組抽出手段）３０ｅと、通信部（視聴番組情報受信手段）３０ｆとを有し、ユーザによるリモコン５の操作に基づいて自装置を動作させる。
【００３２】
再生出力部３０ａは、アクセス部３６を用いてＨＤＤ３５から読み出されたＴＶ番組の再生を行い、再生されたＴＶ番組の映像信号及び音声信号を、ＨＤＭＩケーブル４を介して、ＴＶ受像機２に出力する処理を行う。また、再生出力部３０ａは、各種のメッセージや画面等の映像信号を、ＨＤＭＩケーブル４を介して、ＴＶ受像機２に出力する処理も行う。
【００３３】
録画処理部３０ｂは、予約録画タイトル３４ｃの内容や、ユーザによる録画指示に基づき、チューナ部３１によって受信したＴＶ番組を、アクセス部３６を用いてＨＤＤ３５に録画する処理を行う。
【００３４】
ＥＰＧ情報取得部３０ｃは、チューナ部３１によって受信されたＴＶ放送信号に含まれるＥＰＧ情報を取得し、メモリ３４のＥＰＧ情報３４ｂに格納する。ＥＰＧ情報３４ｂには、現在放送されているＴＶ番組や放送予定のＴＶ番組についての番組情報が含まれている。
【００３５】
視聴番組データベース生成部３０ｄは、ＴＶ受像機２から受信した視聴番組情報２６ｃの内容に基づき、視聴番組データベース３４ｄの生成や内容の更新を行う。
【００３６】
放送予定番組抽出部３０ｅは、ＥＰＧ情報３４ｂに基づく放送予定の番組リスト（以下、放送番組リスト）の中から、視聴番組データベース３４ｄの内容と一致するＴＶ番組を抽出する処理を行う。放送予定番組抽出部３０ｅは、具体的には例えば、ＥＰＧ情報３４ｂに基づく放送予定番組情報の中から、視聴番組データベース３４ｄ内のタイトル名と同一のタイトル名のＴＶ番組や、視聴番組データベース３４ｄ内の番組ジャンルと同一の番組ジャンルのＴＶ番組を抽出する。また、放送予定番組抽出部３０ｅは、放送予定番組リストの中から、視聴番組データベース３４ｄ内の放送時間帯と同一の放送時間帯のＴＶ番組を抽出する。
【００３７】
通信部３０ｆは、ＴＶ受像機２に対してＨＤＭＩ−ＣＥＣ規格に基づくコマンド及びレスポンスデータの送受信を行う。具体的には例えば、通信部３０ｆは、ＴＶ受像機２から送信された視聴番組情報２６ｃを受信する。
【００３８】
次に、ＴＶ受像機２における視聴番組情報送信処理について、図４に示すフローチャートを参照して説明する。ここでは、予めＴＶ受像機２とＨＤＲ３とは、ＨＤＭＩケーブル４を介して接続されているものとする。まず、ユーザが操作部２４を操作することにより所望のチャンネルを選択すると（Ｓ１）、ＴＶ受像機２の制御用マイコン２０が、チューナ部２１からユーザによって選択されたチャンネルのＴＶ放送信号を受信し、このＴＶ放送信号に基づくＴＶ番組の映像をディスプレイ２２に出力し、音声をスピーカ２３に出力する（Ｓ２）。すなわち、ユーザがＴＶ番組の視聴を開始する。
【００３９】
そして、ＴＶ受像機２の制御用マイコン２０は、所定時間（例えば５秒）が経過したとき（Ｓ３でＹＥＳ）、ユーザによってＴＶ番組が視聴されていると判断し、視聴番組情報生成部２０ｄを用いて、ユーザによって視聴されているＴＶ番組についての視聴番組情報２６ｃを生成する（Ｓ４）。具体的には、制御用マイコン２０は、ＥＰＧ情報２６ｂの中から、ユーザが視聴しているＴＶ番組のタイトル名、番組ジャンル、及び放送時間帯のうち少なくともいずれかの情報を取得し、取得した情報に基づいて視聴番組情報２６ｃを生成する。
【００４０】
そして、制御用マイコン２０は、視聴番組情報生成部２０ｄを用いて生成した視聴番組情報２６ｃを、通信部２０ｅを用いてＨＤＲ３に送信する（Ｓ５）。
【００４１】
次に、ＨＤＲ３における視聴番組データベース３４ｄの生成処理について、図５に示すフローチャートを参照して説明する。ここでは、予めＴＶ受像機２から視聴番組情報２６ｃが送信されたものとする。
【００４２】
まず、ＨＤＲ３の制御用マイコン３０は、通信部３０ｆを用いて、ＴＶ受像機２から送信された視聴番組情報２６ｃを受信した後（Ｓ１１）、視聴番組データベース生成部３０ｄを用いて、受信した視聴番組情報２６ｃの内容に基づく視聴番組データベース３４ｄを生成する（Ｓ１２）。具体的には例えば、制御用マイコン３０は、視聴番組データベース生成部３０ｄを用いて、ＴＶ受像機２から受信した視聴番組情報２６ｃ内のタイトル名、番組ジャンル、放送時間帯、視聴回数等の内容を項目ごとに格納する視聴番組データベース３４ｄを生成する。また、既に視聴番組データベース３４ｄが生成されている場合、制御用マイコン３０は、視聴番組データベース生成部３０ｄを用いて、受信した視聴番組情報２６ｃの内容をさらに視聴番組データベース３４ｄに追加する更新処理を行う。
【００４３】
次に、ＨＤＲ３における予約録画番組設定処理について、図６及び図７を参照して説明する。図６は、予約録画番組設定処理の手順を示すフローチャートを示し、図７は、予約録画番組設定画面の一例を示す。
【００４４】
まず、ユーザがリモコン５を操作することにより、予約録画設定を行うための予約録画番組設定画面の表示を指示すると（Ｓ２１）、ＨＤＲ３の制御用マイコン３０は再生出力部３０ａを用いて、予約録画番組設定画面をＴＶ受像機２に出力して、ＴＶ受像機２のディスプレイ２２に予約録画番組設定画面を表示させる（Ｓ２２）。予約録画番組設定画面は、例えば図７に示す画面であり、「放送予定番組リストの表示」を指示するボタンＢ１と、「お気に入り番組リストの表示」を指示するボタンＢ２とが画面上に表示されている。ユーザがリモコン５を操作することによりボタンＢ１、Ｂ２のいずれかを選択すると、制御用マイコン３０は、選択されたボタンＢ１、Ｂ２に対応する画面を表示させる。
【００４５】
具体的には、ユーザによって「お気に入り番組リストの表示」ボタンＢ２が選択されると（Ｓ２３でＹＥＳ）、制御用マイコン３０は、放送予定番組抽出部３０ｅを用いて、ＴＶ番組抽出処理を行い（Ｓ２４）、放送予定番組リストから抽出されたＴＶ番組のリスト（お気に入り番組リスト）を、再生出力部３０ａを用いて、ＴＶ受像機２のディスプレイ２２に表示する（Ｓ２５）。
【００４６】
一方、ユーザによって「放送予定番組リストの表示」ボタンＢ１が選択されると（Ｓ２３でＮＯ）、制御用マイコン３０は、再生出力部３０ａを用いて、放送予定番組リストをＴＶ受像機２のディスプレイ２２に表示する（Ｓ２６）。
【００４７】
次に、上記Ｓ２４のＴＶ番組抽出処理の詳細について、図８及び図９に示すフローチャートを参照して説明する。図８は、ＴＶ番組抽出処理の手順を示すフローチャートを示し、図９は、お気に入り番組リストの一例を示す。
【００４８】
まず、ＨＤＲ３の制御用マイコン３０は、ＥＰＧ情報３４ｂに基づく放送予定番組リストを取得して（Ｓ３１）、視聴番組データベース３４ｄを読み込む（Ｓ３２）。そして、制御用マイコン３０は、放送予定番組抽出部３０ｅを用いて、放送予定番組リストの中から、視聴番組データベース３４ｄ内のタイトル名と同一のタイトル名のＴＶ番組、番組ジャンルと同一の番組ジャンルのＴＶ番組、又は放送時間帯と同一の放送時間帯のＴＶ番組のリスト（お気に入り番組リスト）を抽出する（Ｓ３３）。
【００４９】
制御用マイコン３０は、上記Ｓ３３で抽出したお気に入り番組リスト内のＴＶ番組を、視聴番組データベース３４ｄ内の視聴頻度情報に基づき、ユーザによる視聴頻度が高い順に並び替えた後（Ｓ３４）、再生出力部３０ａを用いて、並び替えたお気に入り番組リストをＴＶ受像機２に出力して、ＴＶ受像機２のディスプレイ２２に表示する（Ｓ３５）。ＴＶ受像機２のディスプレイ２２に表示されるお気に入り番組リストは、例えば図９に示すような画面である。ユーザによって、このお気に入り番組リスト内のＴＶ番組の中から所望のＴＶ番組が選択されると、制御用マイコン３０は、選択されたＴＶ番組を予約録画設定する。
【００５０】
上述したように、本実施形態に係る番組録画システム１においては、録画設定時に、ユーザによって、「お気に入り番組リストの表示」が指示されると、ＥＰＧ情報３４ｂに基づく放送予定番組リスト内のＴＶ番組の中から、視聴番組データベース３４ｄ内のタイトル名等の内容と一致するＴＶ番組を抽出する。そして、抽出したＴＶ番組から構成されるお気に入り番組リストをＴＶ受像機２に出力して、ＴＶ受像機２のディスプレイ２２に表示する。そのため、ユーザがＨＤＲ３で録画したことが無いＴＶ番組であっても、ＴＶ受像機２で視聴したことがあるＴＶ番組であれば、ＨＤＲ３は、放送予定番組リストの中から、そのＴＶ番組の内容と一致するＴＶ番組を抽出可能である。従って、ユーザは、お気に入りのＴＶ番組のうち、一度も録画を行うことなく視聴していたものを録画したい場合であっても、抽出されたお気に入り番組リスト内のＴＶ番組の中から該当のＴＶ番組を容易に探し出すことができるので、予約録画設定を容易に行うことができ、使い勝手がよい。
【００５１】
また、番組録画システム１においては、ＨＤＲ３が、放送予定番組リスト内のＴＶ番組の中から抽出したＴＶ番組を、視聴番組データベース３４ｄ内の視聴頻度情報に基づき、ユーザによる視聴頻度が高い順に並び替えた後、並び替えたお気に入り番組リストをＴＶ受像機２に出力して、ＴＶ受像機２のディスプレイ２２に表示する。そのため、ユーザは、お気に入り番組リスト内のＴＶ番組の中から、録画したいＴＶ番組をさらに容易に探し出すことができるので、録画設定を容易に行うことができ、使い勝手がよい。
【００５２】
また、ＴＶ受像機２とＨＤＲ３とは、ＣＥＣ規格に従ってコマンドの送受信を行うので、独自プロトコルに対応した専用機器や専用ソフトウェア等の導入コストをかける必要がない。従って、ＴＶ受像機２とＨＤＲ３とを含む番組録画システム１の製造コストを抑制することができる。
【００５３】
なお、本発明は、上記実施形態の構成に限られず、発明の趣旨を変更しない範囲で種々の変形が可能である。例えば、上記実施形態において、請求項における録画装置がＨＤＲである場合の例を示したが、録画装置はこれに限られず、例えばＤＶＤレコーダやブルーレイディスクレコーダー等のＴＶ番組を録画可能な装置であればよい。
【００５４】
また、ユーザが録画設定を行う際に、ユーザによってお気に入り番組リスト内のＴＶ番組の中から所望のＴＶ番組が選択されると、お気に入り番組リストにおける、選択されたＴＶ番組と同一のタイトル名や、同一の番組ジャンルや、同一の放送時間帯のＴＶ番組も同時に録画設定されるものであってもよい。
【００５５】
また、ＴＶ受像機は、ＴＶ番組を視聴するユーザ毎に視聴番組情報を記憶して、その視聴番組情報をＨＤＲに送信し、ＨＤＲは、ＴＶ受像機から受信した視聴番組情報に基づき、ユーザ毎に視聴番組データベースを生成してもよい。この場合、ユーザが予約録画設定を行う際に、ＨＤＲは、予約録画設定を行うユーザに対応する視聴番組データベースを用いて、ＴＶ番組を抽出し、ユーザ毎のお気に入り番組リストを表示する。これにより、番組録画システムが複数のユーザによって使用される場合であっても、ユーザは、自分の視聴番組情報に基づいてＴＶ番組が抽出されるため、お気に入り番組リストの中から、録画したいＴＶ番組を容易に探し出すことができるので、使い勝手がよい。
【００５６】
また、ユーザが予約録画設定を行う際に、ＴＶ受像機が、視聴番組情報に基づいて、放送予定番組リストからＴＶ番組を抽出し、抽出したＴＶ番組をディスプレイに表示するものであってもよい。
【００５７】
また、上記実施形態では、ＴＶ受像機とＨＤＲとがＨＤＭＩケーブルを介して接続される例を示したが、これに限られず、例えば、ＵＳＢケーブルや、ＬＡＮケーブル等のデータを送受信可能な伝送ケーブルを用いて接続されても良い。また、上記実施形態では、ＴＶ受像機とＨＤＲとが、ＨＤＭＩ−ＣＥＣ規格に基づくコマンドと、コマンドに対するレスポンスデータとを送受信する例を示したが、これに限られず、例えば、ＴＣＰ／ＩＰプロトコル等の通信規格を用いて、ＴＶ受像機がＨＤＲに視聴番組情報を送信し、ＨＤＲがＴＶ受像機から視聴番組情報を受信するものであってもよい。
【００５８】
また、ＴＶ受像機は、ＴＶ番組の出演者情報を視聴番組情報に記憶し、ＨＤＲの制御用マイコンは、ＴＶ番組の出演者名に基づいて、ＴＶ番組を抽出するものであってもよい。
【符号の説明】
【００５９】
１  番組録画システム
２  ＴＶ受像機
３  ＨＤＲ（録画装置）
５  リモコン（操作手段）
３０  制御用マイコン（録画装置制御手段）
２０ｃ  視聴番組情報生成手段
２０ｄ  視聴番組情報生成部（視聴番組情報生成手段）
２０ｅ  通信部（視聴番組情報送信手段）
２６ｃ  視聴番組情報（視聴頻度情報）
３０ａ  再生出力部（映像出力手段）
３０ｃ  ＥＰＧ情報取得部（放送予定番組情報取得手段）
３０ｅ  放送予定番組抽出部（放送予定番組抽出手段）
３０ｆ  通信部（視聴番組情報受信手段）
３４ｂ  ＥＰＧ情報（放送予定番組情報）
３４ｄ  視聴番組データベース（視聴番組情報）
【図１】
2011217253.tif 000003
【図２】
2011217253.tif 000004
【図３】
2011217253.tif 000005
【図４】
2011217253.tif 000006
【図５】
2011217253.tif 000007
【図６】
2011217253.tif 000008
【図７】
2011217253.tif 000009
【図８】
2011217253.tif 000010
【図９】
2011217253.tif 000011